(57)【要約】【課題】新たにパーキング運転装置といった乗りかごを特定階へ移動させる手段を設けることなく、既存の特定階移動手段を用いて簡易、確実に乗りかごを避難階へと避難させることのできるエレベータ及びエレベータの制御方法を提供する。【解決手段】乗客が乗る乗りかご２と、乗りかご２を特定階に移動させる指示を出す特定階移動手段５と、特定階移動手段５からの入力回数に基づいて乗りかごを特定階にまで移動させる制御部７とを備える。【選択図】図３
2010163221.tif 000002
【特許請求の範囲】
【請求項１】
乗客が乗る乗りかごと、
前記乗りかごを特定階に移動させる指示を出す特定階移動手段と、
前記特定階移動手段からの入力回数に基づいて前記乗りかごを特定階にまで移動させる制御部と、
を備えることを特徴とするエレベータ。
【請求項２】
前記特定階移動手段は、パーキングスイッチ、ホームランディングスイッチまたは、遠隔スイッチの少なくともいずれか１つであることを特徴とする請求項１に記載のエレベータ。
【請求項３】
前記制御部は、前記特定階移動手段からの入力回数を計数する計数手段を備えることを特徴とする請求項１または請求項２に記載のエレベータ。
【請求項４】
前記エレベータにはさらに、通常運転から特定階移動運転へと運転切り替えがなされたことを知らせる報知手段を備えることを特徴とする請求項１ないし請求項３のいずれかに記載のエレベータ。
【請求項５】
前記エレベータにはさらに、前記エレベータが設置されている建物の浸水状態を判断する浸水検知手段をピット内に備えることを特徴とする請求項１ないし請求項４のいずれかに記載のエレベータ。
【請求項６】
特定階移動手段への入力の有無を判断するステップと、
前記特定階移動手段からの入力が通常運転の指示であるか否かを判断するステップと、
前記特定階移動手段からの入力が通常運転の指示ではない場合に、前記特定階移動手段への入力回数により乗りかごを避難階へと移動させるか、休止階へ移動させるかを判断するステップと、
前記判断に基づいて、避難階、或いは休止階へ前記乗りかごを移動させるステップと、
を備えることを特徴とするエレベータの制御方法。
【請求項７】
第１の特定階移動手段からの入力に基づいて乗りかごが特定階へと移動した後に、第２の特定階移動手段への入力の有無を判断するステップと、
前記判断時における第１の特定階移動手段からの入力に基づくエレベータの状態を確認するステップと、
前記第２の特定階移動手段に付与されている優先度を確認するステップと、
前記第２の特定階移動手段と前記第１の特定階移動手段との優先度を比較するステップと、
前記第２の特定階移動手段の優先度が前記第１の特定階移動手段の優先度よりも高い場合に、さらに前記第２の特定階移動手段からの入力が避難階への移動指示であるか否かを判断するステップと、
前記第２の特定階移動手段からの入力が避難階への移動指示である場合には、その指示に基づいて前記乗りかごを避難階へ移動させるステップと、
前記第２の特定階移動手段からの入力が休止階への移動指示である場合には、その指示を受け付けずに前記第１の特定階移動手段からの入力に基づくエレベータの状態としておくステップと、
を備えることを特徴とするエレベータの制御方法。
【請求項８】
第１の特定階移動手段からの入力に基づいて乗りかごが避難階へと移動した後に、第２の特定階移動手段への入力の有無を判断するステップと、
前記第２の特定階移動手段からの入力が通常運転の指示であるか否かを判断するステップと、
前記第２の特定階移動手段からの入力が通常運転の指示である場合に、ピットの浸水検知手段の確認を行うステップと、
前記浸水検知手段の確認によって、前記ピットが浸水状態にあるか否かを判断するステップと、
前記ピットが浸水状態であると判断された場合に、さらに前記ピットが冠水状態にあるか否かを判断するステップと、
前記ピットが浸水状態であると判断された場合には、乗りかごに対してピット浸水管制運転を行うステップと、
前記ピットが冠水状態であると判断された場合には、現在のエレベータの状態を維持し、前記第１の特定階移動手段からの入力に基づく前記乗りかごの避難階停止を行うステップと、
を備えることを特徴とするエレベータの制御方法。
【発明の詳細な説明】
【技術分野】
【０００１】
本発明は、エレベータ及びエレベータの制御方法に関する。
【背景技術】
【０００２】
例えば、台風や洪水によってエレベータが設置された建物への雨水等の浸水が生じた場合に、エレベータに設けられているパーキング運転装置を用いて乗りかごを特定階にまで移動させ、その階床に乗りかごを止めておく。このような運転を行うことによって、台風等による雨水等が昇降路内に落下し乗りかご上に設置された機器を浸水させたり、或いは、乗りかごが洪水の水に浸かることを避けることができる。
【０００３】
このパーキング運転装置は、例えば、以下の特許文献１に開示されているように各階に設けられたり、或いは、特許文献２に開示されているように基準階にのみ設けられる。
【０００４】
また、特許文献２において、基準階にのみパーキング運転装置を設置したのは、以下の理由からである。すなわち、特許文献１に示されるように各階にパーキング運転装置を設置しその操作をした階床に乗りかごを休止させることとすると、その操作は必ず休止階において行わなければならない。従って、例えば、乗りかごを最上階に休止させた場合には操作後に操作者は階段で移動しなければならず、特に何基ものエレベータが設置されている場合には操作者の負担が大きくなってしまうためである。
【先行技術文献】
【特許文献】
【０００５】
【特許文献１】特開平３−１８０７１号公報
【特許文献２】特開平７−２７７６１１号公報
【発明の概要】
【発明が解決しようとする課題】
【０００６】
しかしながら、特許文献１に開示された発明では、乗りかごを避難階に移動させるために各階にパーキング運転装置を設置しなければならず、その設置費用、或いは改造費用が嵩むという不都合がある。また、上述したように避難階へ乗りかごを避難（移動）させるためには、操作者が避難階まで出向いた上でその階に乗りかごを避難停止させ、自分は階段で降りてこなければならず、手間がかかる。
【０００７】
また、特許文献２に記載された発明では、基準階にのみパーキング運転装置を設けているので上記特許文献１のような不都合はないものの、乗りかごを避難階に移動させるためには一旦乗りかごを基準階へと呼び寄せなければならない。一般的に基準階は１階に設けられていることが多く、台風等の災害の際には基準階へ乗りかごを呼び寄せることができないことも予想される。
【０００８】
本発明は上記課題を解決するためになされたものであり、本発明の目的は、新たにパーキング運転装置といった乗りかごを特定階へ移動させる手段を設けることなく、既存の特定階移動手段を用いて簡易、確実に乗りかごを避難階へと避難させることのできるエレベータ及びエレベータの制御方法を提供することである。
【課題を解決するための手段】
【０００９】
本発明の実施の形態に係る第１の特徴は、エレベータにおいて、乗客が乗る乗りかごと、乗りかごを特定階に移動させる指示を出す特定階移動手段と、特定階移動手段からの入力回数に基づいて乗りかごを特定階にまで移動させる制御部とを備える。
【００１０】
本発明の実施の形態に係る第２の特徴は、エレベータの制御方法において、特定階移動手段への入力の有無を判断するステップと、特定階移動手段からの入力が通常運転の指示であるか否かを判断するステップと、特定階移動手段からの入力が通常運転の指示ではない場合に、特定階移動手段への入力回数により乗りかごを避難階へと移動させるか、休止階へ移動させるかを判断するステップと、判断に基づいて、避難階、或いは休止階へ乗りかごを移動させるステップとを備える。
【００１１】
本発明の実施の形態に係る第３の特徴は、エレベータの制御方法において、第１の特定階移動手段からの入力に基づいて乗りかごが特定階へと移動した後に、第２の特定階移動手段への入力の有無を判断するステップと、判断時における第１の特定階移動手段からの入力に基づくエレベータの状態を確認するステップと、第２の特定階移動手段に付与されている優先度を確認するステップと、第２の特定階移動手段と第１の特定階移動手段との優先度を比較するステップと、第２の特定階移動手段の優先度が第１の特定階移動手段の優先度よりも高い場合に、さらに第２の特定階移動手段からの入力が避難階への移動指示であるか否かを判断するステップと、第２の特定階移動手段からの入力が避難階への移動指示である場合には、その指示に基づいて乗りかごを避難階へ移動させるステップと、第２の特定階移動手段からの入力が休止階への移動指示である場合には、その指示を受け付けずに第１の特定階移動手段からの入力に基づくエレベータの状態としておくステップとを備える。
【００１２】
本発明の実施の形態に係る第４の特徴は、エレベータの制御方法において、第１の特定階移動手段からの入力に基づいて乗りかごが避難階へと移動した後に、第２の特定階移動手段への入力の有無を判断するステップと、第２の特定階移動手段からの入力が通常運転の指示であるか否かを判断するステップと、第２の特定階移動手段からの入力が通常運転の指示である場合に、ピットの浸水検知手段の確認を行うステップと、浸水検知手段の確認によって、ピットが浸水状態にあるか否かを判断するステップと、ピットが浸水状態であると判断された場合に、さらにピットが冠水状態にあるか否かを判断するステップと、ピットが浸水状態であると判断された場合には、乗りかごに対してピット浸水管制運転を行うステップと、ピットが冠水状態であると判断された場合には、現在のエレベータの状態を維持し、第１の特定階移動手段からの入力に基づく乗りかごの避難階停止を行うステップとを備える。
【発明の効果】
【００１３】
本発明によれば、新たにパーキング運転装置といった乗りかごを特定階へ移動させる手段を設けることなく、既存の特定階移動手段を用いて簡易、確実に乗りかごを避難階へと避難させることのできるエレベータ及びエレベータの制御方法を提供することができる。
【図面の簡単な説明】
【００１４】
【図１】本発明の第１の実施の形態におけるエレベータの全体構成を示す全体図である。
【図２】本発明の実施の形態に係る制御部の内部構成を示すブロック図である。
【図３】第１の実施の形態におけるエレベータの制御方法の流れを示すフローチャートである。
【図４】第２の実施の形態におけるエレベータの制御方法の流れを示すフローチャートである。
【図５】本発明の第３の実施の形態におけるエレベータの全体構成を示す全体図である。
【図６】第３の実施の形態におけるエレベータの制御方法の流れを示すフローチャートである。
【発明を実施するための形態】
【００１５】
以下、本発明の実施の形態について図面を参照して詳細に説明する。
【００１６】
（第１の実施の形態）
図１は、本発明の第１の、及び後述する第２の実施の形態におけるエレベータの全体構成を示す全体図である。エレベータ１は、ワイヤーロープＲの一端に乗りかご２が、また、ワイヤーロープＲの他端には釣り合い重りＷが連結されている。また、ワイヤーロープＲは巻上機Ｍのシーブに巻き掛けられている。この巻上機ＭがワイヤーロープＲを巻き上げたり降ろしたりすることで昇降路内を乗りかご２と釣り合い重りＷとが昇降し、指定された階床Ｆに止まる。
【００１７】
なお、図１では階床Ｆは３階分しか示されていないが、階床Ｆは何階分設けられていても良い。また、一番下の階床Ｆは便宜上このエレベータ１が設置されている建物の基準となる階床（基準階）Ｆ１とする。
【００１８】
乗りかご２内には、エレベータドア側壁面にエレベータ操作盤３が設けられている。このエレベータ操作盤３には乗客が所望の行き先階へ行くために押す行き先階ボタンやエレベータドアの開閉を行うための開閉ボタン、乗りかご２を基準階Ｆ１に移動させるホームランディングスイッチ等が設けられている。
【００１９】
また、基準階Ｆ１を含む各階床Ｆには、乗りかご２を呼ぶための乗場呼びボタンを備える乗場呼び操作盤４が設けられている。
【００２０】
基準階Ｆ１の乗場呼び操作盤４の下には、エレベータ１を通常運転、或いは、特定階へと移動させる運転を行うための特定階移動手段５が設けられている。この特定階移動手段５は、基準階Ｆ１にのみ設けられている。従って、特定階移動手段５を操作する操作者は、特定階移動手段５を操作するために基準階である基準階Ｆ１以外の階床に出向く必要はなく、基準階Ｆ１に設けられた特定階移動手段５を操作すれば足りる。
【００２１】
特定階移動手段５は、例えば、パーキング運転スイッチ、ホームランディングスイッチ、或いは、エレベータ１に対する遠隔操作を行う際に使用されるスイッチ等、これらスイッチを操作するだけで乗りかご２を特定階へと移動させることのできる手段であればどのようなものであっても良い。このうち、パーキング運転スイッチは、深夜等、エレベータが利用されない時間帯に基準階へと乗りかごを停止させておくスイッチである。また、ホームランディングスイッチは、直近のかご呼びに応答した後、予め定められた時間新たなかご呼び登録がされなかった場合に無方向待機状態となった乗りかごを基準階へ移動させ戸閉状態で待機させるためのスイッチである。遠隔操作スイッチは、例えば通信ネットワークを介してエレベータから遠隔の場所からエレベータの操作を行うことのできるスイッチであり、特に操作者等が避難した後にエレベータの操作を行う際に威力を発揮する。
【００２２】
また、特定階移動手段５はもともと各エレベータ１に設けられている、例として挙げた既存のスイッチであり、新たにエレベータ１に取り付けたものではない。エレベータには様々なスイッチが設けられているが、中でもパーキング運転スイッチやホームランディングスイッチといった乗りかごを特定階へ移動させる機能を有するスイッチを利用する。
【００２３】
なお、以下、「特定階」と表わした場合には、パーキング運転スイッチやホームランディングスイッチが元来持つ機能を発揮させる場合に乗りかごを移動させる「基準階」、及び台風等の雨水等から乗りかごを避難させる階床である「避難階」のいずれも含むものとする。そして、それぞれの機能に従って、「基準階」或いは「避難階」と表わす。
【００２４】
乗りかご２内、乗場呼び操作盤４、或いは、遠隔操作スイッチの場合にはその操作盤には、エレベータ１が通常運転ではなく特定階へ移動する運転を行っていることを報知する報知手段６が設けられている。特に、通常運転モードから特定階へ移動する運転モードへと切り替わったことを操作者に報知する。この報知手段６の例としては、例えば、音声による案内を行うスピーカや画面、或いは、単にランプが点滅（フリッカー）する装置等が考えられる。
【００２５】
但し、特定階移動手段５の操作者、或いは乗客に対して乗りかご２を特定階へ移動する運転を行っている旨を知らせることができるものであればどのような形態のものであっても良い。また、図１に示すエレベータ１では、報知手段６は乗場呼び操作盤４、乗りかご２の壁面にそれぞれ設けられているが、どの位置に設けられていても良い。
【００２６】
エレベータ操作盤３、乗場呼び操作盤４、或いは特定階移動手段５からの操作指示は、制御部７に送信され、その指示に基づいて例えば、駆動部８を介して巻上機Ｍを制御する。これによって乗りかご２の昇降路内における運転が制御される。その他、ここでは特に説明しないが、エレベータ１に関する制御は全てこの制御部７によって行われる。
【００２７】
図２は、制御部７の内部構成を示すブロック図である。制御部７は、例えば特定階移動手段５からの入力を受信する受信手段７ａと、例えば特定階移動手段５からの入力開始からの時間を計測する計時手段７ｂと、特定階移動手段５からの入力回数を計測する計数手段７ｃと、特定階移動手段５からの入力指示に基づいて乗りかご２を基準階、或いは避難階へと移動させるための判断を行い乗りかご２の特定階への移動を指示する判断・指示手段７ｄと、指示内容を巻上機Ｍに対して等に送信する送信手段７ｅとから構成される。
【００２８】
なお、以下では、エレベータ１の運転制御をエレベータの運転制御プログラムを利用することによって行う例を挙げて説明を行う。運転制御プログラムを利用する場合は、図示しない記憶手段や、或いは制御部７とは別体として存在するリムーバブルディスクに格納されているプログラムが図示しないＣＰＵに読み込まれ実行されることにより、エレベータ運転制御手段が制御部７に実装されることになる。図２に示すブロック図は、この実装されたエレベータ運転制御手段を表わしたものである。また、エレベータの運転制御プログラムを利用せず、例えばエレベータの運転制御を行う回路等を組みこの制御部７内にエレベータ運転制御手段として独自に設けて運転制御を行っても良く、いずれの態様であっても構わない。
【００２９】
次に、第１の実施の形態におけるエレベータ１の制御方法について、図３のフローチャートを用いつつ制御部７内部の各手段の働きをも併せて説明する。
【００３０】
エレベータ１の制御方法は、まず特定階移動手段５への入力の有無が判断される（ＳＴ１）。すなわち、特定階移動手段５が操作されるとその信号は、受信手段７ａを介して判断・指示手段７ｄに送信される。特定階移動手段５が操作されない場合には、その状態で待機する。
【００３１】
例えば、特定階移動手段５が一般的なパーキング運転スイッチである場合には、通常「運転」と「休止」との２つのスイッチが設けられている。通常運転が行われる際には「運転」側へスイッチが回された状態になる。一方、例えば、１日の運転が終了し、基準階に乗りかご２を休止させる場合には、「休止」側へとスイッチが入りこの操作により乗りかご２は基準階に止まった状態となる。以下、特定階移動手段５はパーキング運転スイッチである場合を例に挙げて説明を進める。
【００３２】
特定階移動手段５への入力があった場合に（ＳＴ１のＹｅｓ）、次にその入力による指示が通常運転を行う旨であるか否かが判断される（ＳＴ２）。この入力による指示が通常運転を行う旨である場合（パーキング運転スイッチが「運転」側へ回された場合）には（ＳＴ２のＹｅｓ）、判断・指示手段７ｄはこの指示に基づいてエレベータ１に対して通常運転を行うようにエレベータ１を制御する（ＳＴ３）。
【００３３】
一方、特定階移動手段５への入力が通常運転を行うようにとの指示ではなかった場合（パーキング運転スイッチが「休止」側へ回された場合）（ＳＴ２のＮｏ）には、さらに所定時間内に所定回数、特定階移動手段５が「休止」側へ回されたかを判断する（ＳＴ４）。ここで、所定時間は、特定階移動手段５を操作する操作者が特定階移動手段５を操作する時間であり、その時間は例えば、５秒というように任意に設定することができる。設定された時間は、判断・指示手段７ｄ内に記憶される。なお、ここでは特に記憶手段を独立して設けず判断・指示手段７ｄ内に記憶させる形態を採用しているが、制御部７内に独立して記憶手段を設け、この記憶手段に記憶させることとしても良い。
【００３４】
また、判断・指示手段７ｄ内には、特定階移動手段５が「休止」側へ回された回数、すなわち、エレベータ１を休止運転させる指示を行った回数に応じてエレベータ１をどのように制御するかについての情報も記憶されている。第１の実施の形態におけるエレベータの制御方法においては、例えば、１回特定階移動手段５が「休止」側へ回された場合にはパーキング運転の制御を行い、乗りかご２を基準階へと移動させる。また、操作者によって２回、特定階移動手段５が「休止」側へ回された場合（「休止」のスイッチが２回ＯＮになった場合）には、乗りかご２を避難階へと移動させる制御を行う。
【００３５】
ここで基準階は、本発明の実施の形態においては階床Ｆ１としているが、どの階床Ｆを基準階とするかは任意であり、基準階の情報も判断・指示手段７ｄ内に記憶されている。また、避難階についてもエレベータ１が設置されている建物等の状況に応じて任意の階床Ｆを避難階と設定することが可能であり、この情報も判断・指示手段７ｄ内に記憶されている。
【００３６】
所定時間内に、例えば、２回特定階移動手段５が「休止」側へ回された場合には（ＳＴ４のＹｅｓ）、判断・指示手段７ｄは、この入力は乗りかご２を避難階へと移動させるために操作者に特定階移動手段５を操作されたものと判断する。ここで、特定階移動手段５を２回「休止」側へ回す、ということは、もともと「運転」側にある特定階移動手段５を「休止」→「運転」→「休止」というように操作することをいう。
【００３７】
このような入力があった場合は、判断・指示手段７ｄは「避難運転モード」として乗りかご２を運転制御するように送信手段７ｅを介して駆動部８等に指示を出す。上述したように避難階は任意に設定することができるが、例えばエレベータ１が設置されている建物の最上階へと乗りかご２を移動させるように制御する。
【００３８】
詳しくは、まずエレベータ１の運転モードが「通常運転モード」から「避難運転モード」へと切り替わったことを操作者に報知するべく、報知手段に指示を出す（ＳＴ５）。報知手段は、それぞれの機能に従って、例えば音声によって運転モードが切り替わったことを報知する。
【００３９】
その上で、乗りかご２が避難階へと昇降路内を上昇していく間に例えば、エレベータ操作盤３或いは、乗場呼び操作盤４を介して入力された「呼び」に応答する（ＳＴ６）。これは、既に乗りかご２内に乗っている乗客や乗りかご２が避難階へ移動する際の進行方向に向けて移動したい乗客の便宜を図るためである。避難階へと到着すると（ＳＴ７）、乗りかご２は、内部の乗客をその避難階にて降ろすために予め設定された時間のみエレベータドアを開く戸開動作を行う（ＳＴ８）。
【００４０】
その上で、新規の呼び登録受付を禁止し（ＳＴ９）、避難階において乗りかご２を止めて、エレベータ１の運転を停止する（ＳＴ１０）。
【００４１】
一方、所定時間内に、例えば、１回特定階移動手段５が「休止」側へ回された場合には、予め定められた所定回数、特定階移動手段５を操作したことにはならないので（ＳＴ４のＮｏ）、判断・指示手段７ｄは、この入力は避難運転モードではなく、パーキング運転スイッチ本来の乗りかご２を休止階へと移動させるために操作されたものと判断する。ここで、特定階移動手段５を１回「休止」側へ回す、ということは、もともと「運転」側にある特定階移動手段５を「運転」側から「休止」側へ１回回す操作を行うことをいう。
【００４２】
そこで、判断・指示手段７ｄは「休止運転モード」として乗りかご２を運転制御するように送信手段７ｅを介して駆動部８等に指示を出す。上述したように基準階は任意に設定することができるが、例えばエレベータ１が設置されている建物の１階（基準階Ｆ１）へと乗りかご２を移動させるように制御する。
【００４３】
詳しくは、エレベータ１の運転モードが「通常運転モード」から「休止運転モード」へと切り替わったことを操作者に報知するべく、報知手段に指示を出す（ＳＴ１１）。報知手段は、それぞれの機能に従って、例えば音声によって運転モードが切り替わったことを報知する。
【００４４】
その上で、第１の実施の形態においては基準階Ｆ１を１階と規定されているので、乗りかご２が基準階へと昇降路内を下降していく間に例えば、エレベータ操作盤３或いは、乗場呼び操作盤４を介して入力された「呼び」に応答する（ＳＴ１２）。これは、既に乗りかご２内に乗っている乗客や乗りかご２が基準階へ移動する際の進行方向に向けて移動したい乗客の便宜を図るためである。基準階へと着床すると（ＳＴ１３）、乗りかご２は、内部の乗客をその基準階にて降ろすために予め設定された時間のみエレベータドアを開く戸開動作を行う（ＳＴ１４）。
【００４５】
その上で、新規の呼び登録受付を禁止し（ＳＴ１５）、基準階において乗りかご２を止め、エレベータ１の運転を停止する（ＳＴ１６）。
【００４６】
以上のようなエレベータの構成及び運転制御方法を採用することによって、新たにパーキング運転装置といった乗りかごを特定階へ移動させる手段を設けることなく、既存の特定階移動手段を用いて簡易、確実に乗りかごを避難階へと避難させることのできるエレベータ及びエレベータの制御方法を提供することができる。
【００４７】
特にエレベータ運転制御プログラムを利用することによって、特定階移動手段を新たに設ける必要はなく、既存の特定階移動手段からの入力をもってエレベータの運転制御を行うことができる。
【００４８】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００４９】
第２の実施の形態においては、特定階移動手段５が複数設けられている場合に、いずれの特定階移動手段５の入力に従ってエレベータの運転制御を行うか、という制御方法の例である。このため、第２の実施の形態における特定階移動手段５にはそれぞれ「優先度」が付与されている。以下、図４のフローチャートを利用しつつ説明する。
【００５０】
なお、前提として、２種類の特定階移動手段５が設けられているものとする。いずれの特定階移動手段５であっても良いが、第２の実施の形態においては第１の特定階移動手段としてパーキング運転スイッチ５ａが、第２の特定階移動手段として遠隔操作によって制御部７へと指示を出す遠隔操作スイッチ５ｂが選択されている。また、パーキング運転スイッチ５ａへの入力によって、既に乗りかご２は避難階に停止しているものとする。
【００５１】
まず、特定階移動手段５、ここではパーキング運転スイッチ５ａ以外の特定階移動手段５（遠隔操作スイッチ５ｂ）への入力がなされたか否かが判断される（ＳＴ２１）。すなわち、通常その入力を受け付けている第１の特定階移動手段ではなく、第２の特定階移動手段からの入力が行われたか否かが判断される。判断・指示手段７ｄは、遠隔操作スイッチ５ｂからの入力を受信しない場合（第２の特定階移動手段からの入力がない場合）には（ＳＴ２１のＮｏ）、パーキング運転スイッチ５ａによる乗りかご２の避難階停止の状態を維持する。
【００５２】
遠隔操作スイッチ５ｂからの入力があった場合には（ＳＴ２１のＹｅｓ）、判断・指示手段７ｄは現在のエレベータ１の状態を確認する（ＳＴ２２）。上述したように、第２の実施の形態においては、第１の特定階移動手段であるパーキング運転スイッチ５ａの指示によって乗りかご２は避難階に停止した状態にある。また、併せてこの状態を作出させた特定階移動手段（第１の特定階移動手段であるパーキング運転スイッチ５ａ）の優先度も確認する。
【００５３】
次に、新たにエレベータ１に対して運転制御を指示してきた第２の特定階移動手段である遠隔操作スイッチ５ｂに付与されている優先度を確認する（ＳＴ２３）。上述したように、各特定階移動手段５に対しては予め優先度が付与されており、低い優先度が付与されている特定階移動手段は、より高い優先度が付与されている特定階移動手段からの指示に対抗することはできず、エレベータ１は高い優先度が付与されている特定階移動手段からの指示に従うことになる。
【００５４】
そこで、現在のエレベータ１の状態を作出した第１の特定階移動手段（パーキング運転スイッチ）５ａに付与されている優先度と新たに入力があった第２の特定階移動手段５ｂ（遠隔操作スイッチ）の優先度を比較する（ＳＴ２４）。判断・指示手段７ｄが比較の結果、第２の特定階移動手段５ｂの優先度が第１の特定階移動手段５ａの優先度よりも低い（高くない）と判断した場合には（ＳＴ２４のＮｏ）、第１の特定階移動手段５ａからの指示通り現在のエレベータ１の状態を維持する（ＳＴ２５）。ここでは、乗りかご２は避難階に停止した状態である。
【００５５】
一方、第２の特定階移動手段５ｂの優先度が第１の特定階移動手段５ａの優先度よりも高いと判断された場合には（ＳＴ２４のＹｅｓ）、さらにその第２の特定階移動手段５ｂからの指示は避難階への移動指示であるか否かが判断される（ＳＴ２６）。例えば、第２の特定階移動手段５ｂからの入力信号が乗りかご２の基準階への移動であった場合には（ＳＴ２６のＮｏ）、雨水等によりエレベータ１が浸水する危険性を回避する点を重視して、現在のエレベータ１の状態、すなわち避難階に乗りかご２を停止させたままとする（ＳＴ２５）。
【００５６】
なお、ここではこのような運転制御方法を採用したが、安全を確認するステップを経てあくまでも優先度の高い第２の特定階移動手段５ｂからの指示に従う、といったエレベータの運転制御方法を採用することも可能である。
【００５７】
上述したように、第２の実施の形態においては、第１の特定階移動手段５ａが乗りかご２を避難階へと移動させその位置で停止している状態を前提としたが、これまでのエレベータの運転制御方法の説明により乗りかご２はいずれにしてもより安全な避難階に停止することができる。一方、第１の特定階移動手段５ａが乗りかご２を基準階Ｆ１に停止させる指示を出していた場合には、これまでの運転制御方法では乗りかご２は避難階へは移動しない。
【００５８】
そこで、再度現在のエレベータ１の状態を確認する。具体的には、乗りかご２が避難階に停止しているか否かである（ＳＴ２７）。乗りかご２が避難階に停止していれば（ＳＴ２７のＹｅｓ）、第１の特定階移動手段５ａからの入力指示と重複した指示を第２の特定階移動手段５ｂが出したことになるため、この場合は特に乗りかご２を移動させる必要はなく、現在のエレベータ１の状態を維持する（ＳＴ２５）。
【００５９】
さらに、ステップ２７において乗りかご２が避難階に停止していないと判断された場合には（ＳＴ２７のＮｏ）、第２の特定階移動手段５ｂによる避難階への移動指示に従って乗りかご２を避難階へと移動させる。
【００６０】
この場合は、判断・指示手段７ｄは「避難運転モード」として乗りかご２を運転制御するように送信手段７ｅを介して駆動部８等に指示を出す。まず、判断・指示手段７ｄが報知手段６に「避難運転モード」にて運転モードへと切り替わったことを報知させる（ＳＴ２８）。乗りかご２が避難階へと昇降路内を上昇していく間に例えば、エレベータ操作盤３或いは、乗場呼び操作盤４を介して入力された「呼び」に応答する（ＳＴ２９）。避難階へと着床すると（ＳＴ３０）、乗りかご２は、予め設定された時間のみエレベータドアを開く戸開動作を行う（ＳＴ３１）。第２の実施の形態においては原則として乗りかご２内には乗客は乗っていないと考えられるが、例えば、第２の特定階移動手段５ｂがホームランディングスイッチであった場合は、乗りかご２内部において操作者がホームランディングスイッチを操作している。従ってその操作者をその避難階にて降ろすために一旦戸開動が行われる。
【００６１】
その上で、新規の呼び登録受付を禁止し（ＳＴ３２）、避難階において乗りかご２を止めて、エレベータ１の運転を停止する（ＳＴ３３）。
【００６２】
以上のようなエレベータの構成及び運転制御方法を採用することによって、新たにパーキング運転装置といった乗りかごを特定階へ移動させる手段を設けることなく、既存の特定階移動手段を用いて簡易、確実に乗りかごを避難階へと避難させることのできるエレベータ及びエレベータの制御方法を提供することができる。
【００６３】
特にエレベータ運転制御プログラムを利用することによって、特定階移動手段を新たに設ける必要はなく、既存の特定階移動手段からの入力をもってエレベータの運転制御を行うことができる。
【００６４】
なお、上述した第２の実施の形態においては、「優先度」を特定階移動手段５ごとに付与していたが、この「優先度」を複数の特定階移動手段５ではなく乗りかごの行き先である特定階（基準階や避難階）に付与することも可能である。
【００６５】
（第３の実施の形態）
次に本発明における第３の実施の形態について説明する。なお、第３の実施の形態において、上述の第１、或いは第２の実施の形態において説明した構成要素と同一の構成要素には同一の符号を付し、同一の構成要素の説明は重複するので省略する。
【００６６】
第３の実施の形態においては、上述した第１或いは、第２の実施の形態において説明したエレベータの制御方法にピット浸水管制運転を付加した制御方法を説明する。
【００６７】
図５は、第３の実施の形態におけるエレベータの全体構成を示す全体図である。このエレベータ１０において乗りかご２が移動する昇降路内の最下階より下に、図示しない緩衝器等を備えるピット１１が設けられている。なおこのピット１１は、上述した第１或いは、第２の実施の形態における全体構成を示す図１には示されていないが、エレベータ１には備えられていないわけではなく図示を省略したたけであり、実際にはエレベータ１にもピット１１が設けられている。
【００６８】
このピット１１には、ピット浸水管制運転を行うための浸水検知手段１２が設けられている。ピット浸水管制運転とは、台風等の災害によりピット内に雨水等が入って浸水状態となった場合に、例えば乗りかごを最下階まで昇降させず、特定の階以上の階の間においてのみエレベータ運転を行う運転方法である。ここでピット１１内が浸水状態にあるか否かを判断するには、例えば、ピット１１内に溜まった雨水等の量を検出する浸水検知手段１２を用い、この浸水検知手段１２の検出結果からピット１１内の状態が把握される。
【００６９】
第３の実施の形態におけるエレベータ１０の運転制御方法について、図６に示すフローチャートを用いて説明する。なお、前提として既に乗りかご２に対しては第１の特定階移動手段からの入力に従って避難運転についての制御が制御部７によって行われ、乗りかご２は避難階に停止した状態にあることとする。
【００７０】
まず第２の特定階移動手段への入力の有無が判断・指示手段７ｄによって判断される（ＳＴ３１）。第２の特定階移動手段への入力がないと判断された場合には（ＳＴ３１のＮｏ）、そのまま、すなわち、乗りかご２が避難階に停止させておいた状態のまま待機する。
【００７１】
判断・指示手段７ｄが第２の特定階移動手段への入力があったと判断した場合には（ＳＴ３１のＹｅｓ）、さらにその指示が通常運転への移行を示す指示であるか否かを判断する（ＳＴ３２）。通常運転への移行を示す指示でない場合には（ＳＴ３２のＮｏ）、避難階へ避難して停止している乗りかご２をその位置にそのまま留め置くといった、避難運転モードにある現在のエレベータの状態を維持する（ＳＴ３３）。
【００７２】
一方、通常運転への移行を示す指示である場合には（ＳＴ３２のＹｅｓ）、判断・指示手段７ｄはさらにピット１１内に設けられている浸水検知手段１２の状態を確認する（ＳＴ３４）。浸水検知手段１２は、例えば、「浸水」と「冠水」の２種類の状態を把握するための雨水の量を検出することができる。なお、ここで「浸水」とは、エレベータ１０が設置されている建物に台風等による雨水等が侵入してきた状態を、また、「冠水」とは、例えば緩衝器等、ピット１１内に設置されているエレベータ１０を構成する機器が侵入してきた雨水等を被る状態を表わす。従って、ピット１１内の雨水等の量は、「浸水」よりも「冠水」の方が多い。
【００７３】
判断・指示手段７ｄが浸水検知手段１２を確認し、ピット１１内の雨水等の量から浸水しているか否かを判断する（ＳＴ３５）。その結果、ピット１１内は浸水していないと判断できた場合には（ＳＴ３５のＮｏ）、指示通り避難運転モードを解除し通常運転を開始する（ＳＴ３６）。実際に通常運転を開始する前には、避難運転モードから通常運転モードへと切り替わったことを操作者等に報知するべく、判断・指示手段７ｄから報知手段６へと指示が出される（ＳＴ３７）。
【００７４】
浸水検知手段１２を確認した結果、ピット１１内が浸水状態であると判断された場合には（ＳＴ３５のＹｅｓ）、さらにピット１１内が冠水状態にあるか否かを判断する（ＳＴ３８）。判断・指示手段７ｄは浸水検知手段１２からの情報を基に、ピット１１内が冠水状態にあるか否かを判断した結果、冠水状態にまでは至っていない、と判断した場合には（ＳＴ３８のＮｏ）、上述したピット浸水管制運転を行う（ＳＴ３９）。ピット浸水管制運転が開始される前には、避難運転モードからピット浸水管制運転モードへと切り替わったことを操作者等に報知するべく、判断・指示手段７ｄから報知手段６へと指示が出される（ＳＴ４０）。
【００７５】
一方、ピット１１内が冠水状態にあると判断された場合には（ＳＴ３８のＹｅｓ）、乗りかご２を昇降させず、避難階に停止させたままという状態を維持する制御を行う（ＳＴ４１）。
【００７６】
以上のような制御を行うことで、新たにパーキング運転装置といった乗りかごを特定階へ移動させる手段を設けることなく、既存の特定階移動手段を用いて簡易、確実に乗りかごを避難階へと避難させることのできるエレベータ及びエレベータの制御方法を提供することができる。
【００７７】
特に避難運転モードから通常運転モードへと移行する際に、新たにピット浸水管制運転を行うか否かの判断を行うこととすることで、浸水状態にあるピット内に乗りかごを入れ乗りかごに浸水させるといった、二次被害を確実に回避することができる。
【００７８】
なお、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００７９】
１    エレベータ
２    乗りかご
３    エレベータ操作盤
４    乗場呼び操作盤
５    特定階移動手段
６    報知手段
７    制御部
７ａ  受信手段
７ｂ  計時手段
７ｃ  計数手段
７ｄ  判断・指示手段
７ｅ  送信手段
８    駆動部
１０  エレベータ
１１  ピット
１２  浸水検知手段
Ｆ    階床
Ｆ１  基準階
Ｍ    巻上機
Ｒ    ワイヤロープ
Ｗ    釣り合い重り
【図１】
2010163221.tif 000003
【図２】
2010163221.tif 000004
【図３】
2010163221.tif 000005
【図４】
2010163221.tif 000006
【図５】
2010163221.tif 000007
【図６】
2010163221.tif 000008